(57)【特許請求の範囲】
【請求項１】
冷媒配管と、ドレンホースと、電気線と、ダクトとを一つの壁穴に挿通したセパレート型の空気調和機において、前記ダクトを換気用ダクトとして利用した換気用送風機を備え、この換気用送風機は室外空気の室内への給気および室内空気の室外への排気を行い、前記室内機に設けられた前記換気用送風機の給・排気口を前記室内機の吹き出し口の下部の左右方向全幅に亘って配置し、冷房運転時前記室内機に設けられた前記換気用送風機の給・排気口より送風される室外空気を利用して、前記室内機の吹き出し口より送風される冷気の下方への風向や温度を制御することを特徴とする空気調和機。
【請求項２】
前記換気用送風機の給・排気口または通風路途中または室外側ダクトのいずれかに空気清浄用フィルターを取り付けることを特徴とする請求項１記載の空気調和機。
【請求項３】
室内および室外の環境を検知する手段を設けたことを特徴とする請求項１記載の空気調和機。
【発明の詳細な説明】
【０００１】
【発明の属する技術分野】
この発明は、冷凍サイクルを備えた空気調和機に係り、外気を室内への給気および室内空気を室外への排気を行う換気装置を備えることにより快適な室内空間を創出する空気調和機に関するものである。
【０００２】
【従来の技術】
一般に、換気装置には、給気だけのものと、排気だけのもの、または給気・排気同時のものとがある。給気だけのものと排気だけのものとは、どちらか一方だけとなり使い道が限定される。また、給気・排気同時のものは、送風機を２台使用するため構成が複雑かつ装置の大型化となる。しかも、単純に空気調和機に換気装置を設けると、空気調和機用の壁穴と換気装置用の壁穴の２つ必要になり据え付け工事が面倒となる。
【０００３】
【発明が解決しようとする課題】
上記のように、給気・排気同時の換気装置は、構成が複雑かつ装置が大型となる。そして、単純に空気調和機に換気装置を設けると、空気調和機用の壁穴と換気装置用の壁穴が必要になり、据え付工事が面倒という問題点があった。
【０００４】
この発明にかかる問題点を解消するためになされたもので、冷凍サイクルを備えた空気調和機に正転・逆転の切換可能なファンを使用する換気用送風機を備え、室内・外の環境検知結果に基づき給気・排気を効率的に行い、新鮮な室外空気により室内汚染空気を低減することを目的とする。さらに、換気用送風機を利用した外気冷房や配管の廃熱等と換気用ダクトとの熱交換を利用することにより空気調和機の省エネを簡易な構造と安価なコストで達成する事を目的とする。
【０００５】
【課題を解決するための手段】
この発明に係る空気調和機は、冷媒配管と、ドレンホースと、電気線と、ダクトとを一つの壁穴に挿通したセパレート型の空気調和機において、ダクトを換気用ダクトとして利用した換気用送風機を備え、この換気用送風機は室外空気の室内への給気および室内空気の室外への排気を行い、室内機に設けられた換気用送風機の給・排気口を室内機の吹き出し口の下部の左右方向全幅に亘って配置し、冷房運転時室内機に設けられた換気用送風機の給・排気口より送風される室外空気を利用して、室内機の吹き出し口より送風される冷気の下方への風向や温度を制御することを特徴とする。
【００１０】
また、換気用送風機の給・排気口または通風路途中または室外側ダクトのいずれかに空気清浄用フィルターを取り付けるものである。
【００１１】
また、室内および室外の環境を検知する手段を設けたものである。
【００１２】
【発明の実施の形態】
実施の形態１．
以下、この発明の実施の形態１を図面を参照して説明する。図１〜３はこの発明の実施の形態１を示す図で、図１は換気用送風機の分解斜視図、図２は換気用送風機を備えた空気調和機の室内機の斜視図、図３は換気用送風機を備えた空気調和機の室内機の断面図である。
図１において、１は送風機で、２はファン５を駆動する正転・逆転可能なモーター、ファン５は複数個のブレード３をその主板４の両端面に起立させた形状になっており、６は上記モーター２の出力軸、７は出力軸６にファン５を固定する固定ナット、８は環状の通風路９を有しファン５を収納するケーシング、１０はケーシング８の通風路９の始端に開口した給気口（排気口）、１１は同終端に開口した排気口（給気口）、１２はモーター２をケーシング８に固定するモーターカバー、１３は通風路途中に設けたフィルター、１４は室内・外の環境を検知するセンサーとで構成される。
なお、換気用送風機１は空気調和機の室内機１５に図２、図３に示すように設けられている。
【００１３】
壁穴一つで冷媒、給排換気の配管を集約できる構造なので、リサイクル処理時に壁穴貫通部分に相当する箇所でこれらを束ねることができ、長い配管が四方八方へ広がって作業がしにくくなったり、解体機から飛び出したりすることを防止できる。
【００１４】
また、冷媒配管と換気用ダクト（給排換気の配管）との熱交換による廃熱の有効利用により空気調和機の快適な室内環境の提供ならびに省エネルギーに寄与する。
【００１５】
ファン５は、正転・逆転の切換可能な渦流ファンを使用した。この渦流ファンであるファン５は複数個のブレード３を等間隔に主板４の両端面に半ピッチずらして起立させている。これにより幅が薄くかつ正転・逆転可能なファン５になっている。なお、モーター２の駆動により渦流ファン５が回動し、室内（室外）空気は給気口（排気口）１０を通過しケーシング８の通風路９に導入され、ファン５のブレード３と通風路９により徐々に昇圧されて排気口（給気口）１１より室外（室内）へ放出される。
【００１６】
また、図１に示すように、換気用送風機の通風路途中に設けた室内外の環境を検知するセンサー１４にて検知された環境状態に合わせた空調コントロールをする。
【００１７】
ファン５として、渦流ファンを使用したものを示したが、これに限定されず、正転・逆転可能なものであれば、他の形式のものでもよい。
【００１８】
また、正転・逆転可能な１台の換気用送風機を使用し、１つの風路で給排気を行うものを示したが、２つの風路で給気と排気を行うものでもよい。
【００１９】
実施の形態２．
図４〜６はこの発明の実施の形態２を示す図で、図４は室内機の吹き出し口下部における給・排気口の位置を示す斜視図、図５はその断面図、図６は室内機の吹き出し口下部における給・排気口に風向コントロールベーン取付時の断面図である。空気調和機の室内機の吹き出し口１６の下部に換気用送風機より送風される空気の給・排気口１７を設け、この給排気口より均一に室外空気を送風し、適切な空調コントロールをする。
また、図６に示すように給・排気口にベーン１８を付けた場合には給・排気口１７からの風向を空気調和機の運転状態に合わせてコントロールする。
【００２０】
上述の実施の形態によれば、換気用送風機の給気口を室内機の吹き出し口下部に配置し、給気口を換気用送風機から離れる方向に開口面積が大きくなるように開口部を数カ所設けたダクト形状にするとともに、その開口部下流側に風向コントロールベーンを取付可能としたから室外空気を室内へ均一な送風が可能になり、冷房時に換気用送風機の給気口からの送風にて空調空気の降下を下方より抑制し、急な冷気の舞さがりを防ぐ。
【００２１】
実施の形態３．
図７は、この発明の実施の形態３を示す図で、室内機における給・排気口の位置を示す斜視図である。空気調和機の室内機において、換気用送風機給・排気口１９を熱交換器横に設け、給気された室外空気を空気清浄用フィルターと熱交換器を通過させてから室内に吹き出すことにより空調コントロールする。
【００２２】
上述の実施の形態によれば、換気用送風機よりの給気による室外空気は、必ず室内機にある空気清浄用フィルターと熱交換器を通過するので、室外空気の温度または花粉や埃に依らず、換気用送風機による給気が可能となる。
【００２３】
実施の形態４．
図１の通風路途中に設けたフィルター１３に空気清浄機能を設け、室外空気の室内側への給気時には埃や汚染物質を除去後新鮮な空気にして室内空間へ供給する。
また、この室外空気は室内機にある空気清浄用フィルターを通さなくても室内側への給気ができる。
【００２４】
実施の形態５．
図１において、１４は室内・外の温度、湿度、空気汚染度等の環境を検知するセンサーであり、通風路途中に設けることにより室・内外の環境が検知可能となる。
室内外の環境を検知する手段としてダクト内にセンサーを付けるから室内外の環境状態に応じて、換気用送風機による給・排気を行い常に快適な室内環境を維持できる。
【００２５】
【発明の効果】
この発明に係る空気調和機は、空気調和機を据え付ける際に空けた壁穴に冷媒配管と、ドレンホースと、電気線と、換気用ダクトとを挿通するものとしたから一つの壁穴にてこれらを共有することにより、新たに換気ダクト用の壁穴を空ける必要がなく、壁穴一つで換気機能付き空気調和機の据え付けが容易となる。
また、冷媒配管と換気用ダクトとの熱交換による廃熱の有効利用により、空気調和機の快適な室内環境の提供ならびに省エネに寄与する。
さらに、換気用送風機は室内機または室外機のどちらか都合の良い方に備えることが可能である。
【００３０】
また、換気用送風機の通風路途中に空気清浄用フィルターを付けたから室外空気の花粉や埃等が除去される。また、この室外空気は室内機にある空気清浄用フィルターを通さなくても室内側への給気可能である。
【００３１】
また、室内および室外の環境を検知する手段を設けたので、室内および室外の環境状態に応じて、換気装置による給・排気を行い常に快適な室内環境を維持可能となる。
【図面の簡単な説明】
【図１】  この発明の実施の形態１を示す換気用送風機の斜視図である。
【図２】  実施の形態１を示す換気用送風機を備える空気調和機の室内機の斜視図である。
【図３】  実施の形態１を示す換気用送風機を備える空気調和機の室内機の断面図である。
【図４】  実施の形態２を示す換気用送風機を備える空気調和機の室内機の吹き出し口下部における給・排気口の位置を示す斜視図である。
【図５】  実施の形態２を示す換気用送風機を備える空気調和機の室内機の吹き出し口下部における給・排気口の位置を示す断面図である。
【図６】  実施の形態２を示す換気用送風機を備える空気調和機の室内機の吹き出し口下部における給・排気口に風向コントロールベーン取付時の断面図である。
【図７】  実施の形態３を示す換気用送風機を備える空気調和機の室内機の熱交換器横部における給・排気口の位置を示す斜視図である。
【符号の説明】
１  換気用送風機、２  モーター、３  ブレード、４  主板、５  ファン、６出力軸、７  固定ナット、８  ケーシング、９  通風路、１０  給気口（排気口）、１１  排気口（給気口）、１２  モーターカバー、１３  空気清浄用フィルター、１４  センサー、１５  室内機、１６  室内機の吹き出し口、１７  換気用送風機給・排気口、１８  風向コントロールベーン、１９  換気用送風機給・排気口。
【図１】
0003862052.tif 000002
【図２】
0003862052.tif 000003
【図３】
0003862052.tif 000004
【図４】
0003862052.tif 000005
【図５】
0003862052.tif 000006
【図６】
0003862052.tif 000007
【図７】
0003862052.tif 000008